(57)【要約】【課題】効果的に行動誘引を行うことができる行動誘引システムを提供する。【解決手段】行動誘引システム１００は、幼児６０の行動を誘引するための行動誘引支援機能を有する制御部３２と、幼児６０の生理的欲求の程度を示す第一情報を取得する第一取得部３４と、幼児６０の母親７０への帰属欲求の程度を示す第二情報を取得する第二取得部３５とを備える。制御部３２は、取得された第一情報及び第二情報に基づいて、行動誘引支援機能を停止する。【選択図】図２
2019200619.tif 000002
【特許請求の範囲】
【請求項１】
対象者の行動を誘引するための行動誘引支援機能を有する制御部と、
前記対象者の生理的欲求の程度を示す第一情報を取得する第一取得部と、
前記対象者の非対象者への帰属欲求の程度を示す第二情報を取得する第二取得部とを備え、
前記制御部は、取得された前記第一情報及び前記第二情報に基づいて、前記行動誘引支援機能を停止する
行動誘引システム。
【請求項２】
前記制御部は、取得された前記第一情報及び前記第二情報に基づいて、前記対象者が前記生理的欲求及び前記帰属欲求の少なくとも一方を有すると判定した場合に、前記行動誘引支援機能を停止する
請求項１に記載の行動誘引システム。
【請求項３】
前記行動誘引支援機能には、前記対象者の行動を誘引するための提示制御が含まれ、
前記制御部は、前記提示制御中に前記対象者が前記生理的欲求及び前記帰属欲求の少なくとも一方を有すると判定した場合に、前記提示制御を中止する
請求項２に記載の行動誘引システム。
【請求項４】
前記第一取得部は、前記対象者の生体情報を前記第一情報として取得し、
前記生体情報は、心拍数、体温、血流の状態、脳波、及び、呼吸の状態の少なくとも一つを示す
請求項１〜３のいずれか１項に記載の行動誘引システム。
【請求項５】
前記第二取得部は、一定時間における前記対象者と非対象者との位置関係を示す情報を前記第二情報として取得する
請求項１〜３のいずれか１項に記載の行動誘引システム。
【請求項６】
前記制御部は、前記行動誘引支援機能が停止された場合に通知を行う
請求項１〜５のいずれか１項に記載の行動誘引システム。
【請求項７】
前記非対象者は、携帯端末を介して前記行動誘引支援機能に関する設定を行い、
前記制御部は、前記携帯端末を介して前記非対象者に前記通知を行う
請求項６に記載の行動誘引システム。
【請求項８】
前記行動誘引支援機能には、前記対象者の行動を誘引するための、提示装置を介した提示制御が含まれ、
前記制御部は、前記提示装置を介して前記対象者に前記通知を行う
請求項６に記載の行動誘引システム。
【請求項９】
前記対象者は、幼児であり、
前記非対象者は、前記幼児の保護者である
請求項１〜８のいずれか１項に記載の行動誘引システム。
【請求項１０】
対象者の行動を誘引するための行動誘引支援機能を有する行動誘引システムによって実行される行動誘引方法であって、
前記対象者の生理的欲求の程度を示す第一情報を取得し、
前記対象者の非対象者への帰属欲求の程度を示す第二情報を取得し、
取得された前記第一情報及び前記第二情報に基づいて、行動誘引支援機能を停止する
行動誘引方法。
【請求項１１】
請求項１０に記載の行動誘引方法をコンピュータに実行させるためのプログラム。
【発明の詳細な説明】
【技術分野】
【０００１】
本発明は、対象者の行動を誘引する行動誘引システム、行動誘引方法、及び、プログラムに関する。
【背景技術】
【０００２】
近年、女性の社会進出に伴い、子供のいる共働き家族が増加している。また、核家族化に伴い、家事や育児を主に女性が行っている場合が多く、女性に大きな負担がかかっている。このような状況において、女性の子育てに対する負担を減らすことが求められている。
【０００３】
例えば、特許文献１は、監視領域内に存在する危険因子を認識する手段を設け、乳幼児が危険因子に接近するとそれを検出して、乳幼児の保護者が危険因子から乳幼児を遠ざける行動を取れるように支援情報を提供する事故予防システムを開示している。
【０００４】
特許文献１に記載の従来技術によれば、乳幼児が危険因子に接近した場合に、母親に支援情報を提供して、母親が乳幼児を危険因子から遠ざける、又は、乳幼児が危険因子を認識するように母親が乳幼児に「しつけ」をする支援をすることができる。
【先行技術文献】
【特許文献】
【０００５】
【特許文献１】特開２００４−７８３０４号公報
【発明の概要】
【発明が解決しようとする課題】
【０００６】
ところで、対象者の行動を誘引する行動誘引システムにおいては、対象者の機嫌が悪いなどの理由で十分な効果が得られない場合がある。
【０００７】
本発明は、効果的に行動誘引を行うことができる行動誘引システム、行動誘引方法、及び、プログラムを提供する。
【課題を解決するための手段】
【０００８】
本発明の一態様に係る行動誘引システムは、対象者の行動を誘引するための行動誘引支援機能を有する制御部と、前記対象者の生理的欲求の程度を示す第一情報を取得する第一取得部と、前記対象者の非対象者への帰属欲求の程度を示す第二情報を取得する第二取得部とを備え、前記制御部は、取得された前記第一情報及び前記第二情報に基づいて、前記行動誘引支援機能を停止する。
【０００９】
本発明の一態様に係る行動誘引方法は、対象者の行動を誘引するための行動誘引支援機能を有する行動誘引システムによって実行される行動誘引方法であって、前記対象者の生理的欲求の程度を示す第一情報を取得し、前記対象者の非対象者への帰属欲求の程度を示す第二情報を取得し、取得された前記第一情報及び前記第二情報に基づいて、行動誘引支援機能を停止する。
【００１０】
また、本発明の一態様に係るプログラムは、前記行動誘引方法をコンピュータに実行させるためのプログラムである。
【発明の効果】
【００１１】
本発明によれば、効果的に行動誘引を行うことができる行動誘引システム、行動誘引方法、及び、プログラムが実現される。
【図面の簡単な説明】
【００１２】
【図１】図１は、実施の形態に係る行動誘引システムの概要を示す図である。
【図２】図２は、実施の形態に係る行動誘引システムの機能構成を示すブロック図である。
【図３】図３は、実施の形態に係る行動誘引システムの動作のシーケンス図である。
【図４】図４は、片付けを促す映像及び音声の一例を示す図である。
【図５】図５は、提示制御が中止されたことを幼児に通知する映像及び音声の一例を示す図である。
【図６】図６は、提示制御が中止されたことを母親に通知する映像の一例を示す図である。
【図７】図７は、実施の形態に係る制御装置の動作のフローチャートである。
【発明を実施するための形態】
【００１３】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、独立請求項に記載されていない構成要素については、任意の構成要素として説明される。
【００１４】
なお、各図は模式図であり、必ずしも厳密に図示されたものではない。また、各図において、実質的に同一の構成に対しては同一の符号を付し、重複する説明は省略または簡略化される場合がある。
【００１５】
（実施の形態）
［構成］
まず、実施の形態に係る行動誘引システムの構成について説明する。図１は、実施の形態に係る行動誘引システムの概要を示す図である。図２は、実施の形態に係る行動誘引システムの機能構成を示すブロック図である。なお、図１では、制御装置３０の図示が省略されている。
【００１６】
実施の形態に係る行動誘引システム１００は、対象者に刺激を与え、行動を誘引するシステムである。行動誘引システム１００は、例えば、幼児６０に片付けを誘引する。つまり、対象者は、例えば、幼児６０であり、行動は、例えば、片付けである。なお、行動とは、行動誘引システム１００により誘引される対象行動をいい、片付け以外には、翌日の持ち物の準備、食卓の準備、着替え、または、就寝準備などが例示される。
【００１７】
行動誘引システム１００は、ウェアラブル端末１０と、カメラ２０と、制御装置３０と、提示装置４０と、携帯端末５０とを備える。行動誘引システム１００においては、提示装置４０を介して幼児６０の行動を誘引するための提示制御（例えば、映像の表示、及び、音声の出力など）が行われる。このような提示制御に関する設定（開始時刻のタイマー設定等）は、携帯端末５０を介して母親７０によって行われる。母親７０は、言い換えれば、幼児６０の保護者であり、非対象者の一例である。
【００１８】
ところで、行動誘引には、幼児６０の機嫌が悪いと十分な効果が得られないという課題がある。幼児６０が不機嫌になる理由には様々な原因が考えられる。発達心理学においては、生理的欲求（眠い、体調が悪い、お腹がすいたなど）と親（父親または母親７０）への帰属欲求（つまり、甘え）によって幼児６０が不機嫌である場合にはその欲求を満たすべきであるとされている。
【００１９】
そこで、行動誘引システム１００は、生理的欲求及び帰属欲求が原因で幼児６０の機嫌が悪いと推定される場合に、行動誘引支援機能を停止する。これにより、効果が期待できない場合に強引に幼児６０の行動を誘引することが回避される。つまり、行動誘引システム１００は、効果的な行動誘引を行うことができる。以下、このような行動誘引システム１００が備える各装置について説明する。
【００２０】
ウェアラブル端末１０は、幼児６０に装着され、幼児６０の生体情報をセンシングする端末である。ウェアラブル端末１０は、例えば、腕時計型の端末であるが、着衣型または帽子型の端末であってもよい。ウェアラブル端末１０は、生体情報として、心拍数、体温、血流の状態、脳波、及び、呼吸の状態などをセンシングする。生体情報は、幼児６０の生理的欲求の程度を示す第一情報の一例である。第一情報は、幼児６０の生理的欲求の程度を直接または間接に示せばよい。
【００２１】
また、ウェアラブル端末１０は、通信機能を有し、センシングした生体情報を制御装置３０に送信する。ウェアラブル端末１０は、例えば、無線通信によって生体情報を制御装置３０に送信する。
【００２２】
カメラ２０は、幼児６０及び母親７０の存在する空間を撮像する。また、カメラ２０は、通信機能を有し、撮像の結果得られる映像の映像情報を制御装置３０に送信する。カメラ２０は、例えば、無線通信によって映像情報を制御装置３０に送信する。映像情報は、幼児６０と母親７０との位置関係を示す位置関係情報として使用される。位置関係情報は、幼児６０の母親７０への帰属欲求の程度を示す第二情報の一例である。第二情報は、幼児６０の帰属欲求の程度を直接または間接に示せばよい。
【００２３】
制御装置３０は、幼児６０の行動を誘引するための情報処理を行う装置である。制御装置３０は、具体的には、パーソナルコンピュータ等の据え置き型の情報端末であるが、スマートフォンまたはタブレット端末などの携帯型の情報端末であってもよい。制御装置３０は、ＨＥＭＳ（Ｈｏｍｅ  Ｅｎｅｒｇｙ  Ｍａｎａｇｅｍｅｎｔ  Ｓｙｓｔｅｍ）コントローラとして実現されてもよいし、クラウドサーバとして実現されてもよい。制御装置３０は、具体的には、通信部３１と、制御部３２と、記憶部３３とを備える。
【００２４】
通信部３１は、制御装置３０がウェアラブル端末１０、カメラ２０、提示装置４０、及び、携帯端末５０の各装置と通信を行うための通信回路（言い換えれば、通信モジュール）である。制御装置３０は各装置と無線通信を行うが、有線通信を行ってもよい。通信部３１が行う通信の通信規格については特に限定されない。通信部３１は、第一取得部３４及び第二取得部３５を有する。
【００２５】
第一取得部３４は、幼児６０の生理的欲求の程度を示す第一情報を取得する。第一取得部３４は、具体的には、ウェアラブル端末１０から生体情報を取得する。
【００２６】
第二取得部３５は、幼児６０の母親７０への帰属欲求の程度を示す第二情報を取得する。第二取得部３５は、具体的には、カメラ２０から位置関係情報として使用される映像情報を取得する。
【００２７】
制御部３２は、行動誘引支援機能を有し、行動誘引支援機能に関する情報処理を行う。行動誘引支援機能には、幼児６０の行動を誘引するための提示制御が含まれる。制御部３２は、例えば、マイクロコンピュータによって実現されるが、プロセッサまたは専用回路によって実現されてもよい。
【００２８】
記憶部３３は、制御部３２が実行する制御プログラムなどが記憶される記憶装置である。記憶部３３は、例えば、半導体メモリによって実現される。
【００２９】
提示装置４０は、幼児６０の行動を誘引するための提示制御に用いられる装置である。提示装置４０は、例えば、映像が表示されるディスプレイ及び音声を出力するスピーカを備えるテレビであるが、映像及び音声の少なくとも一方を幼児６０に提示できる装置であればよい。
【００３０】
携帯端末５０は、母親７０によって操作される、スマートフォンまたはタブレット端末などの携帯型の情報端末である。行動誘引システム１００において、携帯端末５０は、行動誘引支援機能に関する各種設定を行うための操作を受け付けるユーザインターフェース装置として機能する。
【００３１】
なお、行動誘引システム１００は、制御装置３０及び携帯端末５０に代えて、制御装置３０及び携帯端末５０の両方の機能を有する単一の情報端末を備えてもよい。
【００３２】
［動作］
次に、行動誘引システム１００の動作について説明する。図３は、行動誘引システム１００の動作のシーケンス図である。
【００３３】
まず、携帯端末５０は、母親７０の行動誘引支援機能に関する各種設定を行うための操作を受け付ける（Ｓ１１）。母親７０の操作によって、提示制御の開始タイミング（具体的には、提示装置４０が所定のテレビ番組を再生し終えたとき、など）、及び、提示制御の内容（提示制御において提示される映像及び音楽の種類、及び、提示制御が行われる期間の長さなど）が設定される。設定された内容は設定情報をして送信される（Ｓ１２）。
【００３４】
制御装置３０の通信部３１は、設定情報を取得する（Ｓ１３）。制御部３２は、通信部３１によって取得された設定情報に基づいて、幼児６０に片付けを促す提示制御を開始する。制御部３２は、具体的には、提示制御の開始コマンドを通信部３１に送信させる（Ｓ１４）。
【００３５】
提示装置４０は、開始コマンドを受信すると（Ｓ１５）、受信された開始コマンドに基づいて片付けを促す映像及び音声の提示を開始する（Ｓ１６）。提示装置４０は、例えば、図４に示されるようなアニメーション映像及び音声を提示する。図４は、片付けを促す映像及び音声の一例を示す図である。なお、提示制御は、詳細には、オペラント条件付け理論をはじめとした行動誘引手法に基づいて行われる。
【００３６】
ウェアラブル端末１０は、幼児６０の生体情報をセンシングし（Ｓ１７）、制御装置３０に送信する（Ｓ１８）。生体情報は、例えば、所定の時間間隔で定期的に送信される。制御装置３０の第一取得部３４は、生体情報を取得する（Ｓ１９）。
【００３７】
また、カメラ２０は、幼児６０及び母親７０の存在する空間を撮像し（Ｓ２０）、撮像によって得られる映像の映像情報を制御装置３０に送信する（Ｓ２１）。映像情報は、例えば、リアルタイムに送信される。制御装置３０の第二取得部３５は、映像情報を取得する（Ｓ２２）。
【００３８】
制御部３２は、取得された生体情報及び映像情報に基づいて判定処理を行う（Ｓ２３）。判定処理においては、幼児６０が生理的欲求及び帰属欲求の少なくとも一方を有するか否かが判定される。制御部３２は、幼児６０が生理的欲求及び帰属欲求の少なくとも一方を有すると判定された場合、行動誘引支援機能を停止する。制御部３２は、具体的には、提示制御を中止するための中止コマンドを通信部３１に送信させる（Ｓ２４）。
【００３９】
提示装置４０は、中止コマンドを受信すると（Ｓ２５）、片付けを促す映像及び音声の提示を中止する（Ｓ２６）。つまり、提示装置４０は、提示制御を途中で強制的に停止する。そして、提示装置４０は、提示制御が中止されたことを幼児６０に通知する（Ｓ２７）。提示装置４０は、例えば、図５に示されるようなアニメーション映像及び音声を提示する。図５は、提示制御が中止されたことを幼児６０に通知する映像及び音声の一例を示す図である。
【００４０】
また、制御部３２は、通知コマンドを通信部３１に送信させる（Ｓ２８）。携帯端末５０は、通知コマンドを受信すると（Ｓ２９）、提示制御が中止されたことを母親７０に通知する（Ｓ３０）。図６は、提示制御が中止されたことを母親７０に通知する映像の一例を示す図である。このように、制御部３２は、行動誘引支援機能が停止された場合に幼児６０または母親７０に通知を行うが、このような通知は必須ではない。幼児６０への通知及び母親７０への通知の少なくとも一つが省略されてもよい。
【００４１】
このように、行動誘引システム１００は、幼児６０が生理的欲求及び帰属欲求の少なくとも一方を有すると判定された場合に、行動誘引支援機能を停止する。行動誘引システム１００は、具体的には、提示制御を中止する。これにより、効果が期待できない場合に強引に幼児６０の行動を誘引することが回避される。つまり、行動誘引システム１００は、効果的な行動誘引を行うことができる。
【００４２】
なお、中止された提示制御は基本的には再開されない。しかしながら、提示制御の中止後に引き続きステップＳ２３と同様の判定処理が行われ、幼児６０の生理的欲求及び帰属欲求の両方が解消されたと判定された場合に再開されてもよい。
【００４３】
［制御装置の動作の詳細］
次に、行動誘引システム１００の動作における、制御装置３０の動作の詳細についてフローチャートを用いて説明する。図７は、制御装置３０の動作のフローチャートである。
【００４４】
まず、制御部３２は、提示制御を開始する（Ｓ３１）。制御部３２は、具体的には、提示制御の開始コマンドを通信部３１に送信させる。
【００４５】
次に、第一取得部３４は、ウェアラブル端末１０から幼児６０の生体情報を取得する（Ｓ３２）。第二取得部３５は、カメラ２０から映像情報を取得する（Ｓ３３）。
【００４６】
次に、制御部３２は、生体情報に基づいて、幼児６０に生理的欲求が有るか否かを判定する（Ｓ３４）。以下では、幼児６０が眠気を感じている（睡眠欲求がある）か否かを判定する例について説明する。
【００４７】
例えば、生体情報が幼児６０の端部体温（例えば、手の周辺の体温）を示す場合、端部体温が高いほど、幼児６０が眠気を感じていると推定される。そこで、制御部３２は、端部体温が閾値以上である場合に幼児６０は眠気を感じている（つまり、生理的欲求が有る）と判定し、端部体温が閾値未満である場合に幼児６０は眠気を感じていない（つまり、生理的欲求が無い）と判定する。
【００４８】
生体情報が幼児６０の心拍数を示す場合、心拍数が低いほど、幼児６０が眠気を感じていると推定される。そこで、制御部３２は、心拍数が閾値未満である場合に幼児６０は眠気を感じていると判定し、心拍数が閾値以上である場合に幼児６０は眠気を感じていないと判定する。
【００４９】
生体情報が幼児６０の呼吸の状態（例えば、呼吸数）を示す場合、呼吸がゆっくりである（つまり、呼吸数が少ない）ほど、幼児６０が眠気を感じていると推定される。そこで、制御部３２は、呼吸数が閾値未満である場合に幼児６０は眠気を感じていると判定し、呼吸数が閾値以上である場合に幼児６０は眠気を感じていないと判定する。
【００５０】
生体情報が幼児６０の血流の状態（例えば、血中酸素濃度）を示す場合、血中酸素濃度が低いほど、幼児６０が眠気を感じていると推定される。そこで、制御部３２は、血中酸素濃度が閾値未満である場合に幼児６０は眠気を感じていると判定し、血中酸素濃度が閾値以上である場合に幼児６０は眠気を感じていないと判定する。
【００５１】
生体情報が幼児６０の脳波を示す場合、制御部３２は、脳波の変化によって幼児６０が眠気を感じているか否かを判定することができる。
【００５２】
ステップＳ３４において、幼児６０に生理的欲求が有ると判定されると（Ｓ３４でＹｅｓ）、制御部３２は提示制御を中止する（Ｓ３６）。制御部３２は、具体的には、中止コマンド及び通知コマンドを通信部３１に送信させる。一方、幼児６０に生理的欲求が無いと判定されると（Ｓ３４でＮｏ）、制御部３２は、映像情報に基づいて、幼児６０に母親７０への帰属欲求が有るか否かを判定する（Ｓ３５）。母親７０への帰属欲求は、言い換えれば、母親７０に甘えたい欲求である。
【００５３】
制御部３２は、映像情報を幼児６０と母親７０との位置関係を示す位置関係情報として使用する。制御部３２は、例えば、映像情報が示す映像を画像処理することにより一定期間における幼児６０と母親７０との間の距離の平均値を算出し、算出された距離の平均値が閾値未満である場合に帰属欲求が有ると判定し、算出された距離の平均値が閾値以上である場合に帰属欲求が無いと判定する。
【００５４】
また、母親７０への帰属欲求が強い幼児６０は、母親７０の元へ何度も駆け寄る、等の行動をとることがある。そこで、制御部３２は、映像情報が示す映像を画像処理することにより一定期間において幼児６０が母親７０の元へ行く回数を検出してもよい。制御部３２は、具体的には、検出された回数が閾値以上である場合に帰属欲求が有ると判定し、検出された回数が閾値未満である場合に帰属欲求が無いと判定する。
【００５５】
ステップＳ３５において、幼児６０に母親７０への帰属欲求が有ると判定されると（Ｓ３５でＹｅｓ）、制御部３２は提示制御を中止する（Ｓ３６）。一方、幼児６０に母親７０への帰属欲求が無いと判定されると（Ｓ３５でＮｏ）、制御部３２は、提示制御を継続する（Ｓ３７）。
【００５６】
このように、制御装置３０は、取得された生体情報及び映像情報に基づいて、幼児６０が生理的欲求及び帰属欲求の少なくとも一方を有すると判定した場合に、行動誘引支援機能を停止する。制御装置３０は、具体的には、提示制御を中止する。これにより、効果が期待できない場合に強引に幼児６０の行動を誘引することが回避される。つまり、制御装置３０は、効果的な行動誘引を行うことができる。
【００５７】
なお、図４及び図７の例では、判定処理は提示制御中に行われたが、提示制御の開始前に行われてもよい。この場合、行動誘引システム１００は、判定処理の結果に基づいて、判定処理の直後に予定されていた提示制御を中止する。言い換えれば、行動誘引システム１００は、判定処理の結果に基づいて、予定されていた提示制御を最初から行わない。つまり、「行動誘引支援機能を停止する」には、実行中の行動誘引支援機能を中止すること、及び、予定されている行動誘引支援機能の実行を取りやめることの両方が少なくとも含まれる。
【００５８】
また、図４及び図７の例では、幼児６０が生理的欲求及び帰属欲求の少なくとも一方を有すると判定された場合に、行動誘引支援機能が停止されたが、幼児６０が生理的欲求及び帰属欲求の両方を有すると判定された場合に行動誘引支援機能が停止されてもよい。
【００５９】
［生理的欲求の有無の判定の変形例］
生理的欲求の有無の判定は、ウェアラブル端末１０からの生体情報ではなく、非接触型の生体センサからの生体情報に基づいて行われてもよい。非接触型の生体センサは、例えば、幼児の脈拍数または呼吸数を計測することができる電波センサである。
【００６０】
また、生理的欲求の有無の判定は、カメラ２０からの映像情報に基づいて行われてもよい。つまり、第一取得部３４は、カメラ２０からの映像情報を第一情報として取得し、制御部３２は、映像を画像処理することにより生理的欲求の有無の判定を行ってもよい。制御部３２は、例えば、映像情報が示す映像によって定められる幼児６０のまばたきの回数に基づき、まばたきの回数が閾値以上である場合に幼児６０は眠気を感じている（つまり、生理的欲求がある）と判定し、まばたきの回数が閾値未満である場合に幼児６０は眠気を感じていない（つまり、生理的欲求がない）と判定してもよい。また、制御部３２は、映像情報が示す映像によって定められる幼児６０の表情に基づき生理的欲求の有無を判定してもよい。
【００６１】
［帰属欲求の有無の判定の変形例］
帰属欲求の有無の判定は、カメラ２０からの映像情報ではなく、位置センサからの位置情報に基づいて行われてもよい。位置センサは、具体的には、レーザ変位計である。位置センサは、幼児６０及び母親７０のそれぞれに装着されたＲＦＩＤタグを検出するＲＦＩＤタグリーダなどであってもよい。つまり、第二取得部３５は、位置センサからの位置情報を第二情報として取得し、制御部３２は、位置センサからの位置情報に基づいて帰属欲求の有無の判定を行ってもよい。位置センサからの位置情報に基づく帰属欲求の有無の判定は、一定期間における幼児６０と母親７０との間の距離の平均値に基づいて行われてもよいし、一定期間において幼児６０が母親７０の元へ行く回数基づいて行われてもよい。
【００６２】
［効果等］
以上説明したように、行動誘引システム１００は、対象者の行動を誘引するための行動誘引支援機能を有する制御部３２と、対象者の生理的欲求の程度を示す第一情報を取得する第一取得部３４と、対象者の非対象者への帰属欲求の程度を示す第二情報を取得する第二取得部３５とを備える。第一情報は、例えば、ウェアラブル端末１０によってセンシングされる生体情報であり、第二情報は、例えば、カメラ２０によって撮像される映像の映像情報である。制御部３２は、取得された第一情報及び第二情報に基づいて、行動誘引支援機能を停止する。
【００６３】
このような行動誘引システム１００においては、第一情報及び第二情報に基づいて効果が期待できないと推定される場合に強引に対象者の行動を誘引することが回避される。つまり、行動誘引システム１００は、効果的な行動誘引を行うことができる。また、効果が期待できない場合に行動誘引支援機能が停止されることで、行動誘引支援機能に関する情報処理量の削減、及び、行動誘引支援機能に関する消費エネルギーの削減が図られる。
【００６４】
また、例えば、制御部３２は、取得された第一情報及び第二情報に基づいて、対象者が生理的欲求及び帰属欲求の少なくとも一方を有すると判定した場合に、行動誘引支援機能を停止する。
【００６５】
このような行動誘引システム１００においては、対象者の生理的欲求及び帰属欲求の少なくとも一方が満たされてないと判定される場合に対象者の行動を誘引することが回避される。つまり、行動誘引システム１００は、効果的な行動誘引を行うことができる。
【００６６】
また、例えば、行動誘引支援機能には、対象者の行動を誘引するための提示制御が含まれる。制御部３２は、提示制御中に対象者が生理的欲求及び帰属欲求の少なくとも一方を有すると判定した場合に、提示制御を中止する。
【００６７】
このような行動誘引システム１００においては、第一情報及び第二情報に基づいて効果が期待できないと推定される場合に強引に対象者の行動を誘引するための提示制御が行われることが回避される。つまり、行動誘引システム１００は、効果的な行動誘引を行うことができる。
【００６８】
また、例えば、第一取得部３４は、対象者の生体情報を第一情報として取得し、生体情報は、心拍数、体温、血流の状態、脳波、及び、呼吸の状態の少なくとも一つを示す。
【００６９】
このような行動誘引システム１００は、生体情報に基づいて対象者が生理的欲求を有するか否かを判定することができる。
【００７０】
また、例えば、第二取得部３５は、一定時間における対象者と非対象者との位置関係を示す情報を第二情報として取得する。
【００７１】
このような行動誘引システム１００は、対象者と非対象者との位置関係に基づいて対象者が帰属欲求を有するか否かを判定することができる。
【００７２】
また、例えば、制御部３２は、行動誘引支援機能が停止された場合に通知を行う。
【００７３】
このような行動誘引システム１００は、行動誘引支援機能が停止されたことを通知することができる。
【００７４】
また、例えば、非対象者は、携帯端末５０を介して行動誘引支援機能に関する設定を行い、制御部３２は、携帯端末５０を介して非対象者に通知を行う。
【００７５】
このような行動誘引システム１００は、行動誘引支援機能が停止されたことを非対象者に通知することができる。
【００７６】
また、例えば、行動誘引支援機能には、対象者の行動を誘引するための、提示装置４０を介した提示制御が含まれ、制御部３２は、提示装置４０を介して対象者に通知を行う。
【００７７】
このような行動誘引システム１００は、行動誘引支援機能が停止されたことを対象者に通知することができる。
【００７８】
また、行動誘引システム１００においては、対象者は、幼児であり、非対象者は、対象者の保護者（例えば、母親７０）である。
【００７９】
このような行動誘引システム１００においては、第一情報及び第二情報に基づいて効果が期待できないと推定される場合に強引に幼児６０の行動を誘引することが回避される。つまり、行動誘引システム１００は、効果的な行動誘引を行うことができる。
【００８０】
また、対象者の行動を誘引するための行動誘引支援機能を有する行動誘引システム１００によって実行される行動誘引方法は、対象者の生理的欲求の程度を示す第一情報を取得し、対象者の非対象者への帰属欲求の程度を示す第二情報を取得し、取得された第一情報及び第二情報に基づいて、行動誘引支援機能を停止する。
【００８１】
このような行動誘引方法は、行動誘引システム１００と同様の効果を奏する。
【００８２】
（その他の実施の形態）
以上、実施の形態について説明したが、本発明は、上記実施の形態に限定されるものではない。
【００８３】
また、上記実施の形態のフローチャートで説明された処理の順序は、一例である。複数の処理の順序は変更されてもよいし、複数の処理は並行して実行されてもよい。例えば、上記実施の形態では、生理的欲求の有無の判定が帰属欲求の有無の判定よりも前に行われたが、生理的欲求の有無の判定が帰属欲求の有無の判定よりも後に行われてもよい。また、上記実施の形態において、特定の処理部が実行する処理を別の処理部が実行してもよい。
【００８４】
また、上記実施の形態における装置間の通信方法については特に限定されるものではない。装置間では、無線通信が行われてもよいし、有線通信が行われてもよい。また、装置間では、無線通信及び有線通信が組み合わされてもよい。また、上記実施の形態において２つの装置が通信を行う場合、２つの装置間には図示されない中継装置が介在してもよい。
【００８５】
また、上記実施の形態において、各構成要素は、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【００８６】
また、各構成要素は、ハードウェアによって実現されてもよい。例えば、各構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【００８７】
また、行動誘引システムは、単一の装置として実現されてもよいし、複数の装置によって実現されてもよい。行動誘引システムが複数の装置によって実現される場合、行動誘引システムが備える構成要素は、複数の装置にどのように振り分けられてもよい。
【００８８】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。
【００８９】
例えば、本発明は、行動誘引システムなどのコンピュータによって実行される行動誘引方法として実現されてもよいし、このような行動誘引方法をコンピュータに実行させるためのプログラムとして実現されてもよい。また、行動誘引システムが汎用の携帯端末として実現される場合、本発明は、汎用の携帯端末を行動誘引システムとして動作させるために当該携帯端末にインストールされるアプリケーションプログラムとして実現されてもよい。また、本発明は、このようなプログラムが記録されたコンピュータ読み取り可能な非一時的な記録媒体として実現されてもよい。
【００９０】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【００９１】
３１  通信部
３２  制御部
３４  第一取得部
３５  第二取得部
４０  提示装置
５０  携帯端末
６０  幼児
７０  母親
１００  行動誘引システム
【図１】
2019200619.tif 000003
【図２】
2019200619.tif 000004
【図３】
2019200619.tif 000005
【図４】
2019200619.tif 000006
【図５】
2019200619.tif 000007
【図６】
2019200619.tif 000008
【図７】
2019200619.tif 000009